(57)【要約】      （修正有）【課題】ランドセルを背負ったときに肩の形状にそって湾曲すると共にねじれを容易にして密着性を高めることができる背負いベルトを提供する。【解決手段】肩当部１１の下方に細幅で中央に複数の小孔２２を有した連結部２０を一体に形成してなるランドセル用背負いベルト１０に於いて、上部芯材の裏面長手方向に、クッション機能を有した発泡樹脂材からなるパット部と該パット部の幅方向両側に設けた縦長溝部を介してクッション機能を有した発泡樹脂材からなる膨出部１７を一体に形成する。また、前記上部芯材の裏面側から柔軟性を有する皮革材により形成した裏地材でパット部と膨出部１７を覆って表側に折り返して接着し、前記背負いベルトと相似形に形成した硬質皮革材からなる表地材２７を該肩当部の表面側に接着して、該表地材と前記裏地材の周縁を重合して縫着してある。【選択図】図１
0003166433.tif 000002
【実用新案登録請求の範囲】
【請求項１】
幅広の帯状に形成した肩当部（１１）の下方に細幅で中央に複数の小孔（２２）を有した連結部（２０）を一体に形成してなるランドセル用背負いベルト（１０）に於いて、肩当部（１１）の内部に設けた上部芯材（１２）の裏面長手方向に、クッション機能を有した発泡樹脂材からなるパット部（１３）と該パット部の幅方向両側に設けた長手方向の縦長溝部（１８，１８）を介してクッション機能を有した発泡樹脂材からなる膨出部（１７，１７）を長手方向に一体に形成し、前記上部芯材（１２）の裏面側から柔軟性を有する皮革材により形成した裏地材（２５）でパット部（１３）と膨出部（１７）とを覆って表側に折り返して接着し、前記背負いベルトと相似形に形成した硬質皮革材からなる表地材（２７）を該肩当部の表面側に接着して、該表地材と前記裏地材（２５）の周縁を重合して縫着してなることを特徴とするランドセル用背負いベルト。
【請求項２】
上部芯材のパット部（１３）は、表面が平坦でクッション性を有した肉厚な複数の凸部（１５）と、該凸部より高さが低くてクッション性を有した複数の凹部（１６）とを交互に連続して一体に形成し、該凹部の間隔は上部芯材（１２）を肩側に湾曲させると隣設する凸部（１５，１５）の端面が当たらない幅に形成し、該凸部の表面の高さを両側長手方向に位置してクッション性を有した膨出部（１７）の高さより低く形成してなることを特徴とする請求項１記載のランドセル用背負いベルト。
【請求項３】
前記パッド部（１３）の平坦な表面に、１または２以上の対角線状や交差状の直線や曲線からなる溝部を設け、該パッド部のねじれ方向のクッション性を高めてなることを特徴とする請求項１又は２記載のランドセル用背負いベルト。
【請求項４】
幅広の帯状に形成した肩当部（１１）の下方に細幅で中央に複数の小孔（２２）を有した連結部（２０）を一体に形成してなるランドセル用背負いベルト（１０）に於いて、上部芯材（３２）の第２のパット部（３３）は、長手方向に長尺で肉厚に形成してクッション性を有した複数の凸部（３５）の間に、該凸部より高さが低くクッション性を有した複数の凹部（３６）を交互に連続して一体に形成し、該凹部の間隔は前記上部芯材（３２）を湾曲させると隣設する凸部（３５，３５）の端面が当たらない幅に形成し、該凸部の表面の高さを両側長手方向に位置してクッション性を有した膨出部（３７）の高さより低く形成し、該膨出部とパット部（３３）との間に長手方向の縦長溝部（３８）を設けてなることを特徴とするランドセル用背負いベルト。
【請求項５】
幅広の帯状に形成した肩当部（１１）の下方に細幅で中央に複数の小孔（２２）を有した連結部（２０）を一体に形成してなるランドセル用背負いベルト（１０）に於いて、上部芯材（４２）の第３のパット部（４３）は、長手方向に長尺で肉厚に形成してクッション性を有した複数の凸部（４５）の間に、該凸部より高さが低くてクッション性を有した複数の凹部（４６）を交互に連続して一体に形成し、該凹部の間隔は前記上部芯材（４２）を湾曲させると隣設する互いの凸部（４５，４５）の端部が当たらない間隔に形成し、各凸部（４５）の表面に斜溝部（４９）を設け、該凸部（４５）の表面の高さを長手方向両側に位置してクッション機能を有した膨出部（４７）の高さより低く形成し、該膨出部とパット部（３３）との間に長手方向両側に縦長溝部（４８）を設けてなることを特徴とするランドセル用背負いベルト。
【請求項６】
幅広の帯状に形成した肩当部（１１）の下方に細幅で中央に複数の小孔（２２）を有した連結部（２０）を一体に形成してなるランドセル用背負いベルト（１０）に於いて、上部芯材（５２）の第４のパット部（５３）は、長手方向に長尺で肉厚に形成してクッション性を有した複数の凸部（５５）の間に、前記凸部より高さが低くてクッション性を有した複数の凹部（５６）を交互で連続して一体に形成し、該凹部の間隔は前記上部芯材（５２）を湾曲させると隣設する互いの凸部（５５，５５）の端部が当たらない間隔に形成し、該凸部（５５）の表面に斜状に交差する交差溝部（５９）を設け、前記凸部の表面の高さを両側長手方向に位置してクッション性を有した膨出部（５７、５７）の高さより低く形成し、該膨出部とパット部（５３）との間に長手方向の縦長溝部（５８，５８）を設けてなることを特徴とするランドセル用背負いベルト。
【考案の詳細な説明】
【技術分野】
【０００１】
本考案は、ランドセルに取り付ける背負いベルトの改良に関するものである。
【背景技術】
【０００２】
学童が使用するランドセルは、教科書や副教材や筆記具などを収容するためかなりの重量となり、体力のない低学年の学童がランドセルを背負って通学するにはかなり負担がかかる。さらに、最近はランドセル内にＡ４サイズのクリアファイルが入るようにランドセルが大型化して重量が増加している。一方、ランドセルに取付ける背負いベルトは、学童の肩に背負う幅広の肩当部と、下方に細幅で背負いベルトの長さを調整するため複数の小孔を有した連結部とを一体に形成し、該背負いベルトの上端をランドセルの背環に取付け、下方の連結部をランドセル底面に取付けたダルマ環に端部を連結した短尺ベルトと連結し、学童の成長に合わせて短尺ベルトの先端に設けた尾錠と連結部の小孔とで背負いベルトの長さを調節可能に形成してある。
【０００３】
背負いベルトは、学童の肩部に当たる肩当部の裏側にクッション性を有した発泡ウレタン材などにより形成した芯材の外側を柔軟な皮革材からなる裏地材で被覆すると共に、表面側に硬質な皮革材からなる表地材を取付け、該表地材と裏地材の周縁を縫着して形成してある。また、学童がランドセルを背負う場合、重量のほとんどが肩部に集中するため、背負いベルトの肩当部には、内部にクッション機能の高い芯材を使用している。しかし、ランドセルの重量や経年変化などによりクッション性を有した芯材が押し潰されて薄くなるとクッション機能が劣化し、ランドセルの重量が学童の肩部に食い込んでしまうという問題点を有している。
【０００４】
そのため、肩当部に取付けるクッション性を有した芯材を厚くしたり、硬質のクッション材で形成すると、肩当部が学童の肩に添って変形しにくくなって学童の肩との密着性が劣化する。そこで、背負いベルトの肩面側（裏面）に連続した凹凸部を設けて湾曲性を高めることにより、学童の肩部への密着性を高めたものが知られている（特許文献１、参照）。
【先行技術文献】
【特許文献】
【０００５】
【特許文献１】実開平１−１８０９１５号公報
【０００６】
従来のランドセルに取付けた肩掛けベルト１は、図１４に示すように、弾性部材からなるパット部２を肩当部の裏面の長手方向に連続して凹凸状に形成し、外カバー３と内カバー４を重ねてその周縁に縫着部５を設けてある。前記パット部２の裏面（下面）を凹凸状の波形に形成したことにより、該パット部は長手方向への変形（湾曲）が容易となって学童の肩部に密着させることができた。
【０００７】
しかし、パット部２の凹凸形状は、凸部を連続した弧状部（半円状）に形成し、該弧状部の区切り部に、前記ベルトの長手方向に対して溝部を直角方向に形成してある。そのため、肩の外側に沿ってパッド部２を湾曲させると互いに隣設する凸部と凸部とが当接し内側に膨出して十分に湾曲させることが困難となり、パッド部と肩との間に隙間ができて肩部から滑り落ちやすくなり、密着性が悪いという欠点を有していた。さらに、肩掛けベルト１は学童の首から肩に向かって傾斜している肩部に掛け、該パッド部は長手方向に対して同一断面のためクッション機能が同一のため、ねじれに対する変形が困難であってねじれ変形しにくいという問題点を有していた。
【考案の概要】
【考案が解決しようとする課題】
【０００８】
本考案が解決しようとする課題は、ランドセルの背負いベルトを構成する肩当部に取付ける上部芯材の裏面中央部分に、長手方向に肉厚状の凸部と該凸部より高さの低い凹部を交互に連続してなるクッション機能を有したパッド部と、上部芯材の長手方向両側に該凸部より高さを高くしてクッション機能を有した膨出部と、該膨出部とパッド部との間に位置して高さの低い長手方向の縦長溝部を設けて該パッド部にクッション機能を具有させたことにより、前記膨出部およびパッド部の肩部への密着性を高めるものである。
【０００９】
そのため、該パッド部の凸部の表面と膨出部の表面を同一面にして肩部に密着させ、該パッド部及び膨出部のクッション機能により湾曲性、密着性及び保持性を高めることができる。さらに、凸部の表面に斜状や交差状の直線又曲線などの任意形状の溝部を設けることにより、該パッド部の強度に変化を持たせてねじれ方向に対するクッション機能を一層高めることにより、密着性を高めて背負いやすいランドセル用背負いベルトを提供するものである。
【課題を解決するための手段】
【００１０】
上記課題を解決するために、幅広の帯状に形成した肩当部１１の下方に細幅で中央に複数の小孔２２を有した連結部２０を一体に形成してなるランドセル用背負いベルト１０に於いて、肩当部１１の内部に設けた上部芯材１２の裏面長手方向に、クッション機能を有した発泡樹脂材からなるパット部１３と該パット部の幅方向両側に設けた長手方向の縦長溝部１８，１８を介してクッション機能を有した発泡樹脂材からなる膨出部１７，１７を長手方向に一体に形成し、前記上部芯材１２の裏面側から柔軟性を有する皮革材により形成した裏地材２５でパット部１３と膨出部１７とを覆って表側に折り返して接着し、前記背負いベルトと相似形に形成した硬質皮革材からなる表地材２７を該肩当部の表面側に接着して、該表地材と前記裏地材２５の周縁を重合して縫着してなることを特徴とする。また、上部芯材のパット部１３は、表面が平坦でクッション性を有した肉厚な複数の凸部１５と、該凸部より高さが低くてクッション性を有した複数の凹部１６とを交互に連続して一体に形成し、該凹部の間隔は上部芯材１２を肩側に湾曲させると隣設する凸部１５，１５の端面が当たらない幅に形成し、前記凸部の表面の高さを両側長手方向に位置してクッション性を有した膨出部１７の高さより低く形成してある。さらに、前記パッド部１３の平坦な表面に、１又は２以上の対角線状や交差状の直線又は曲線からなる溝部を設け、該パッド部のねじれ方向のクッション性を高めてなることを特徴とする。
【００１１】
また、幅広の帯状に形成した肩当部（１１）の下方に細幅で中央に複数の小孔（２２）を有した連結部（２０）を一体に形成してなるランドセル用背負いベルト（１０）に於いて、上部芯材３２の第２のパット部３３は、長手方向に長尺で肉厚に形成してクッション性を有した複数の凸部３５の間に、該凸部より高さが低くてクッション性を有した複数の凹部３６を交互に連続して一体に形成し、該凹部の間隔は前記上部芯材３２を湾曲させると隣設する凸部３５，３５の端面が当たらない幅に形成し、前記凸部３５の表面の高さを長手方向両側に位置してクッション性を有した膨出部３７、３７の高さより低く形成し、該膨出部とパット部３３との間に長手方向の縦長溝部３８、３８を設けてなることを特徴とする。
【００１２】
さらに、幅広の帯状に形成した肩当部（１１）の下方に細幅で中央に複数の小孔（２２）を有した連結部（２０）を一体に形成してなるランドセル用背負いベルト（１０）に於いて、上部芯材４２の第３のパット部４３は、長手方向に長尺で肉厚に形成してクッション性を有した複数の凸部４５の間に、該凸部より高さが低くてクッション性を有した複数の凹部４６を交互に連続して一体に形成し、該凹部の間隔は前記上部芯材４２を湾曲させると隣設する互いの凸部４５，４５の端部が当たらない間隔に形成し、各凸部４５の表面に斜溝部４９を設け、該凸部４５の表面の高さを長手方向両側に位置してクッション機能を有した膨出部４７、４７の高さより低く形成し、該膨出部とパット部４３との間に長手方向両側に縦長溝部４８、４８を設けてなることを特徴とする。
【００１３】
さらにまた、幅広の帯状に形成した肩当部（１１）の下方に細幅で中央に複数の小孔（２２）を有した連結部（２０）を一体に形成してなるランドセル用背負いベルト（１０）に於いて、上部芯材５２の第４のパット部５３は、長手方向に長尺で肉厚に形成してクッション性を有した複数の凸部５５の間に、前記凸部より高さが低くてクッション性を有した複数の凹部５６を交互で連続して一体に形成し、該凹部の間隔は前記上部芯材５２を湾曲させると隣設する互いの凸部５５，５５の端部が当たらない間隔に形成し、該凸部の表面に斜状に交差する交差溝部５９を設け、該凸部の表面の高さを長手方向両側に位置してクッション機能を有した膨出部５７、５７の高さより低く形成し、該膨出部とパット部３３との間に長手方向の縦長溝部５８、５８を設けてなることを特徴とする。
【００１４】
したがって、背負いベルト１０の肩当部１１を構成する幅広に形成した上部芯材１２、３２、４２、５２の裏側にさまざまな形状をしたパット部１３、３３、４３、５３を一体に設けたことにより、肩当部１１が学童の肩に添っても容易に湾曲させることができる。また、パット部を構成する凸部４５、５５の表面に、１又は２以上の直線や曲線などからなる斜溝部４９または交差溝部５９を設けたことにより、学童の肩部に添って肩当部１１は斜め方向に容易に捩じれるため、背負いベルト１０が体にフィットして滑り落ちにくくすることができる。その上、上部芯材１２の両側端に設けた膨出部１７，３７，４７，５７の高さを、前記パット部の凸部１５より高く且つ外形を円弧状に形成したことにより、ランドセルを背負った学童が背負いベルトの表面に取付けた表地材２７の端部で首筋を傷つけるのを防止することができる。
【図面の簡単な説明】
【００１５】
【図１】背負いベルトの平面図である。
【図２】背負いベルトの下方を省略した肩当部の拡大裏面図である。
【図３】図１のA―A線拡大断面図である。
【図４】肩当部の要部分解斜視図である。
【図５】第１の上部芯材の裏面図である。
【図６】図５のB―B線拡大断面図である。
【図７】図５のＣ−Ｃ線拡大断面図である。
【図８】肩当部を湾曲させた状態の要部拡大断面図である。
【図９】第２の上部芯材の裏面図である。
【図１０】図９のＤ−Ｄ線拡大断面図である。
【図１１】第３の上部芯材の裏面図である。
【図１２】図１１のE−E線拡大断面図である。
【図１３】第４の上部芯材の裏面図である。
【図１４】従来の背負いベルトの斜視図である。
【考案を実施するための形態】
【００１６】
本考案に係る実施の形態を図面に基づいて説明すると、図１は背負いベルトの平面図、図２は背負いベルトの下方を省略した肩当部の拡大裏面図、図３は図１のA―A線拡大断面図、図４は肩当部の要部分解斜視図、図５は第１の上部芯材の裏面図、図６は図５のB―B線拡大断面図、図７は図５のＣ−Ｃ線拡大断面図、図８は肩当部を湾曲させた状態の要部拡大断面図、図９は第２の上部芯材の裏面図、図１０は図９のＤ−Ｄ線拡大断面図、図１１は第３の上部芯材の裏面図、図１２は図１１のE−E線拡大断面図、図１３は第４の上部芯材の裏面図である。
【００１７】
図１において、背負いベルト１０は、ランドセル（図示せず）を背負ったときの学童の肩部に位置する幅広で緩やかに湾曲させた肩当部１１と、学童の体にあわせて背負いベルトの長さを調節するため、細幅で一定間隔に複数の小孔２２を設けた連結部２０とを長手方向に連結して形成してある。この連結部２０とランドセルの底面に取付けたダルマ環（図示せず）に端部を連結した短尺ベルト（図示せず）の先端に設けた尾錠に有する掛止爪（図示せず）を、前記連結部２０のいずれかの小孔２２に止着して背負いベルト１０の長さを調節可能にしてある。
【００１８】
背負いベルト１０の上方に位置する肩当部１１は、図２、３、４に示すごとく、内部にクッション性を有した第１の上部芯材１２を取付けてある。該上部芯材は、例えばウレタンなどの発泡合成樹脂材により幅広の板状に形成してあり、該上部芯材の裏面長手方向にやや肉厚なパット部１３と、該パット部の幅方向の両端に位置して設けた縦長溝部１８，１８を介して断面円柱状をした膨出部１７、１７を一体に形成して変形可能に設けてある。この縦長溝部１８，１８とパッド部の間に設けた凹部１６，１６は略同一面、即ち、前記膨出部や凸部の表面より高さを低く形成することにより湾曲させてクッション機能を具有するようにしてある。ここで、膨出部と凸部はクッション機能を有しているが、膨出部は大径に形成してあるのでクッション機能は一段と高くなって肩への密着性が高い。
【００１９】
前記パット部１３は、図５、６、７に示すごとく、長手方向に一定又は任意間隔に設けた複数の凸部１５と高さの低い凹部１６を交互に連続して設けてあり、前記凹部１６の間隔は、図８に示すごとく、肩当部１１が湾曲したときに互いに隣設する凸部１５、１５の端面が当たらない幅に形成し、該凸部１５の表面の高さは、該凸部の両側に位置した膨出部１７の高さより低く形成してある。
【００２０】
図９、１０は、前記上部芯材の第２の実施形態を示した第２の上部芯材３２で、該上部芯材は、前記上部芯材と同様にクッション機能を有しており、その裏面長手方向に肉厚なパット部３３を設けてある。該パット部は、図２，５に比べてやや長尺に形成した複数の凸部３５と高さを低く形成した複数の凹部３６とを交互に連続して一体に形成し、前記凹部３６の間隔は前記上部芯材３２を湾曲させたとき隣設する凸部３５、３５の端面が当たらない間隔に形成してある。
【００２１】
前記凸部３５の表面の高さは、該第２の上部芯材３２の両側長手方向に位置して設けた膨出部３７、３７の高さより低く形成し、背負いベルトの肩当部１１を湾曲させたとき、パット部３３を構成する凸部３５はやや長く形成した広い面で密着させることができる。この凸部の両側端と第２の上部芯材３２の両側に設けた膨出部３７，３７の間には、長手方向に設けた縦長溝部３８、３８と前記凹部３６とは略同一面、即ち、高さを低く形成してある。即ち、学童の肩に肩掛けベルトを密着して取り付けると、ランドセルの重みが該肩掛けベルトに加わり、まず膨出部３７，３７が圧縮されて肩に当接し、ついでランドセルの重さが加わったパッド部３３が肩部に密着する。
【００２２】
図１１、１２は、前記上部芯材の第３の実施形態を示す第３の上部芯材４２で、該上部芯材の裏面長手方向に設けたパット部４３は、やや長尺に形成した複数の凸部４５と、高さを低く形成した複数の凹部４６とを交互に連続して形成してある。前記上部芯材４２を長手方向に湾曲させると隣設する凸部４５、４５の端面が当たらない間隔に凹部４６を設け、さらに、前記凸部４５の表面に対角線状に斜溝部４９をそれぞれ斜めに設けてある。前記凸部４５の表面の高さは、該上部芯材４２の両側長手方向に位置した膨出部４７の高さより低く形成してある。前記斜溝部４９は、１本の直線に限らず、二本の斜溝部を並行に設けても良いし、直線に限らず曲線でもよいことはもちろんであり、それによってやや長い凸部５５のねじれに対する柔軟性を一段と高めることができる。
【００２３】
したがって、前記第３の上部芯材４２を構成するパット部４３の凸部４５の表面に斜溝部４９を設けたことにより、凸部は肩方向に向かってねじれた場合、該パッド部に溝部を有しない場合に比べて、斜溝部を有しているので容易にねじれ変形することができる。また、肩当部１１の長手方向への湾曲に対しては凹部４６を介在して設けてあるので肉厚状のパッド部はスムースに湾曲及びねじれ変形することができ、各凸部４５はランドセルを背負ったときに肩から背中に掛けてのねじれにスムースに対応して変形することができ、背負いベルトは違和感なく肩にフィットすることができる。
【００２４】
図１３は、第４の実施形態を示す第４の上部芯材５２で、該上部芯材の裏面長手方向の両側に設けた膨出部５７、５７の間に、長手方向に縦長溝部５８，５８を設けてある。この縦長溝部５７と前記凹部５６の表面を低く形成し、且つ、高さを低く形成した凸部５５と、該凸部より高さの低い複数のパッド部５３を交互に連続して設けてある。該パット部は複数の長尺な凸部５５と薄手の複数の凹部５６とを交互に連続し形成し、前記上部芯材５２を湾曲させたときに隣設する凸部５５、５５の端面が当たらない間隔に凹部５６を設け、前記凸部５５の各表面には斜めに交差させたＸ状の交差溝部５９をそれぞれ設け、前記凸部５５の表面の高さは、両側長手方向に位置した膨出部５７の高さより低く形成してある。
【００２５】
したがって、第４の上部芯材５２をなすパット部の凸部５５の表面にＸ状の交差溝部５８を設けたことにより、上部芯材５２は長手方向への湾曲だけでなく左右方向へのねじれに対してもスムースにねじれ変形できるため、ランドセルを背負ったときに肩から背中に掛けての湾曲及びねじれに対してスムースに変形することができ、学童の肩に当接する肩掛ベルトの違和感をなくしフィットさせることができる。
【００２６】
前記各上部芯材１２、３２、４２、５２に設けた膨出部１７、３７、４７、５７の断面形状は円柱状に限らず、楕円形や四角形やその他の多角形でもよい。即ち、この膨出部は中央に位置した肉厚な凸部１５、３５、４５、５５の表面より高く形成してクッション性を高めて肩当りを良くし、且つ、膨出部１７を上部芯材１２、３２、４２、５２の幅方向両端部分に膨出させて一体に形成してあるが、凸部との間に高さが低く、薄肉状の縦長溝部を有しているため、該肩掛けベルトが学童の肩に掛けると、まず高さのある膨出部が押圧されて肩部に密着してクッション性を発揮する。ついで、ランドセルの重量が加わったパッド部が押し下げられて膨出部とパッド部の下面が肩部に密着し、肩当部１１に該膨出部とパッド部とがソフト感を生ぜしめて密着することができる。
【００２７】
前記各上部芯材１２、３２、４２、５２のクッション機能を有した凸部１５、３５、４５、５５と同じ様にクッション機能を有した膨出部１７、３７、４７、５７との間にそれぞれ長手方向の縦長溝部１８、３８、４８、５８を設けたことにより、前記上部芯材の表裏両面を覆って接着する裏地材２５と表地材２７を重ねて周縁を縫製する場合、裏側を前記縦長溝部１８に一重または二重に縫い糸を縫着させても、縫い目は縦長溝部１８内に収容できるので肩に当たることがなく、肩当りの良い肩当部１１を形成することができ、また、縫い糸が肩と擦れて糸切れする心配が少ないので長期間使用することができる。
【００２８】
この上部芯材１２の表面長手方向に、図３、４に示す如く、薄手で柔軟性を有したクッション機能有する発泡樹脂材で形成した補強芯材１９を接着し、肩当部１１のパッド部１３の強度を補強すると共に、上部芯材１２の表面側に取付ける表地材２７にボリューム感を持たせることができる。
【００２９】
前記上部芯材１２のパッド部１３と膨出部１７は、人工・合成・天然皮革などからなる柔軟な裏地材２５で下側から全体を包み込んで表面側に折り返して両端の糊代部分を表面側に接着させ、前記上部芯材１２の連結部２０の表面側に、背負いベルトと相似形に形成した人工・合成・天然皮革などの硬質革材からなる表地材２７を接着させ、該表地材と裏地材２５の周縁部を糸で一重または二重に縫着して形成してある。この縫着部分は、裏側を前記縦長溝部１８、３８、４８、５８内に位置して設けてあるので、表地材２７の両端部は、肩当部１１の外側に膨らんだ膨出部１７の内側に設けてあるので邪魔にならないという利点がある。
【００３０】
本考案の実施形態の作用について説明すると、背負いベルト１０の肩当部１１を構成する第１の実施形態における第１の上部芯材１２は、該上部芯材の裏面長手方向に等間隔で複数の凸部１５と凹部１６を交互に連続してパット部１３を形成してある。前記凹部１６の幅は、上部芯材１２を肩方向に湾曲させると、互いに隣設する凸部１５、１５の端面が当たらない間隔に形成し、前記凸部１５の表面の高さは両側に位置した膨出部１７、１７の高さより低く形成してあり、該膨出部１７と凸部１５との間には長手方向に縦長溝部１８，１８を設けてある。
【００３１】
したがって、幅広な肩当部１１の下面に設けたクッション機能を有するパッド部１３を有した肩当部１１の下面を学堂の肩部に掛けると、該肩当部の両側に位置する高さの高い膨張部１７，１７が着座すると同時に、ランドセル重量が加わることによりクッション機能を有する膨出部が圧縮されてパッド部１３が下降して各凸部１５が肩部のカーブに沿って湾曲して接着する。このように肩当部の裏面に設けた膨出部１７とパッド部１３とは肩部に密着する。長手方向に設けた凹凸部１５、１６からなるパッド部１３は、肩当部１１をスムースに湾曲して学童の肩にフィットさせ、また、肩当部の両側裏面に設けたやや大径の膨出部のクッション機能により、該肩当部１１が首から肩方向に滑るのを防止すると共に長手方向に湾曲して学童の肩に密着させ、学童の肩に加わるランドセルの重量を分散してフィットさせることにより背負いやすい利点を有するものである。
【００３２】
尚、第１の上部芯材の表面に図示してないが、図１１に示すように対角線状の斜溝部や図１３に示すようにＸ状の直線溝部や曲線溝部（図示せず）を設け、該パッド部のクッション機能を高めてねじれ効果を向上させるようにしてもよいことはもちろんである。パッド部の同一断面形状に長手方向に溝部を設けると、該パッド部のクッション機能を変化させて、ねじれや湾曲して変形する際のクッション機能を高める作用がある。この対角線の方向は、同じ方向を繰り返しでもよいし、交互に向きを変えて形成してもよいことはもちろんである。
【００３３】
第２の実施形態の第２の上部芯材３２を使用した背負いベルトは、パット部３３を構成する凸部３５を長尺で肉厚に形成し、該凸部３５と凸部３５の間に設けた凹部３６の間隔を、前記上部芯材３２を湾曲させると隣設する凸部３５、３５の端面が当たらない幅に設け、前記凸部３５の表面の高さを両側長手方向に位置した膨出部３７の高さより低く形成し、該膨出部と凸部３５との間に薄肉状の縦長溝部３８を設けてある。
【００３４】
したがって、上部芯材３２が湾曲したときにパット部３３の凸部３５を長尺に形成したため肩との密着性を高めることができ、また、凹部３６の幅を隣設した凸部３５の端部同士が当たらない幅に設けてあるため、上部芯材３２が肩側に膨らむことなく湾曲させることができ、肩当部３１に隙間ができないので滑り落ちにくくなって背負いやすい。
【００３５】
第３の実施の形態の第３の上部芯材４２を使用した背負いベルトは、パット部４３の凸部４５を肉厚で長尺に形成し、該凸部と凸部との間に設けた凹部４６の間隔を、前記上部芯材４２を湾曲させると、隣設する凸部４５と４５の端面が当たらない幅に設け、該凸部の表面長手方向に内側から外側に斜溝部４９を設け、該凸部の高さを両側長手方向に設けた膨出部４７の高さより低く形成し、さらには、該膨出部と凸部４５との間には長方向に縦長溝部４８を設けてある。
【００３６】
したがって、ランドセルを背負ったとき、背負いベルトの肩当部が長手方向のねじれに対してスムースに湾曲したり、容易に斜状にねじれるようにし、肩の形状に合わせて湾曲したりねじれ変形することができるので、ランドセルを背負ったときの違和感をなくして背中にフィットさせることができる。
【００３７】
第４の実施形態における第４の上部芯材５２を使用した背負いベルトは、パット部５３の凸部５５を肉厚で長尺に形成し、該凸部と凸部との間に設けた凹部５６の間隔を、前記上部芯材５２を湾曲させると隣設する凸部５５と５５の端面が当たらない幅に設け、前記凸部５５の表面長手方向の斜めにＸ状に交差する交差溝部５９を設け、前記凸部５５の高さを両側長手方向に設けた膨出部５７、５７の高さより低く形成し、さらに、該膨出部５７，５７と凸部５５との間に長方向の縦長溝部５８、５８を設けてある。
【００３８】
したがって、ランドセルを背負ったととき、背負いベルトの肩当部５１が肩の形状に合わせてスムースに湾曲させることができ、且つ、長手方向のねじれに対しても凸部５５の表面に交差溝部５７を設けたことにより、背負いベルトが肩から脇方向にスムースにねじれ方向に変形することができるので、違和感をなくして背中にフィットさせることができる。
【００３９】
前記した各上部芯材１２、３２、４２、５２に設けた縦長溝部１８、３８、４８、５８は、該上部芯材の表裏両面を裏地材２５と表地材２７で覆って周縁を縫着する場合、縫着部分を前記縦長溝部に位置させて一重または二重に重合させてその周囲を縫着することにより、背負いベルトの肩当部に設けた縫着部分が肩に当たることがなく、肩当りの良い肩当部１１を形成することができ、また、縫い糸が肩と擦れて糸切れする心配がないので長期間使用することができる。
【００４０】
また、背負いベルト１０の肩当部１１の表面に表地材２７の周縁を縫着した場合、端部が肩当部の外側に膨らんだ膨出部の内側に位置するため、ランドセルを背負って走って左右に振れても、表地材２７の両端縁には、クッション機能を有した膨出部が位置しているため、学童の首筋に直接触れることがないため傷を付けることがなく安全である。
【符号の説明】
【００４１】
１０      背負いベルト
１１      肩当部
１２      第１の上部芯材
１３      パット部
１５      凸部
１６      凹部
１８      縦長溝部      
２０      連結部
２２      小孔
２５      裏地材
２７      表地材
３２      第２の上部芯材
３３      パット部
３５      凸部
３６      凹部
３７      膨出部
３８      縦長溝部
４２      第３の上部芯材
４３      パット部
４５      凸部
４６      凹部
４７      膨出部
４８      縦長溝部
５２      第４の上部芯材
５３      パット部
５５      凸部
５６      凹部
５７      膨出部
５９      交差溝部
【図１】
0003166433.tif 000003
【図２】
0003166433.tif 000004
【図３】
0003166433.tif 000005
【図４】
0003166433.tif 000006
【図５】
0003166433.tif 000007
【図６】
0003166433.tif 000008
【図７】
0003166433.tif 000009
【図８】
0003166433.tif 000010
【図９】
0003166433.tif 000011
【図１０】
0003166433.tif 000012
【図１１】
0003166433.tif 000013
【図１２】
0003166433.tif 000014
【図１３】
0003166433.tif 000015
【図１４】
0003166433.tif 000016